(57)【特許請求の範囲】
【請求項１】
ヒートポンプユニットを梱包する梱包材において、
ヒートポンプユニットの左右両端部を受容する一側面が開放状に形成され且つヒートポンプユニットの左右両端部を覆うように形成された箱状の１対の梱包部材と、
ヒートポンプユニットのそれぞれの角部を緩衝可能な複数の緩衝部材と、
前記１対の梱包部材を結束する結束部材とを備え、
前記１対の梱包部材には、前記緩衝部材のうち上部に配置される緩衝部材を支える支持部が形成され、
前記結束部材は水平方向に巻き回された少なくとも１本のＰＰバンドであり、
前記ヒートポンプユニットの底面には１対の設置用脚部が設けられており、前記１対の梱包部材は前記１対の設置用脚部を露出させるように前記ヒートポンプユニットの左右両端部を覆っていることを特徴とするヒートポンプユニットの梱包材。
【請求項２】
前記１対の梱包部材には開口把持部が形成されており、前記結束部材は前記開口把持部の直上部を通るように巻き回されていることを特徴とする請求項１に記載のヒートポンプユニットの梱包材。
【発明の詳細な説明】
【技術分野】
【０００１】
本発明はヒートポンプユニットの梱包材に関し、特にヒートポンプユニットの左右両端部を覆うように形成された箱状の１対の梱包部材を有するものに関する。
【背景技術】
【０００２】
従来から、冷媒を利用した熱交換式のヒートポンプ給湯装置が一般に広く普及している。この種のヒートポンプ給湯装置は、冷媒により湯水を加熱するヒートポンプユニット、加熱された湯水を貯湯する貯湯槽、ヒートポンプユニットと貯湯槽との間に湯水を循環する循環加熱回路等を備え、貯湯槽内の湯水を循環加熱回路に循環させてヒートポンプユニットの凝縮熱交換器において冷媒と湯水との間で熱交換して湯水を加熱し、その湯水を貯湯槽内に戻して貯留し、貯湯槽から蛇口や風呂等の所望の給湯先に給湯するものである。
【０００３】
上記のヒートポンプユニットにおいて、圧縮機、凝縮熱交換器、膨張弁、蒸発熱交換器が冷媒配管を介して接続されてヒートポンプ回路が構成され、冷媒配管に封入された冷媒を利用して貯湯運転が行われる。この貯湯運転では、圧縮機と蒸発熱交換器用の送風ファンが夫々駆動され、凝縮熱交換器によりヒートポンプ回路を流れる冷媒と循環加熱回路を流れる湯水との間で熱交換が行われて湯水が加熱される。
【０００４】
ところで、ヒートポンプユニットの保管時や運搬時に外部からの衝撃等によりヒートポンプユニットが損傷するのを防ぐため、ヒートポンプユニットの外装ケースを梱包材で覆って保護している。
【０００５】
例えば、特許文献１には、ヒートポンプユニットの上下端部を覆うように形成された箱状の１対の梱包部材で構成したヒートポンプ式熱源機の梱包材が開示されている。この梱包材は、ヒートポンプユニットの上端側部分に、内部に緩衝材を装着した上部梱包材を嵌め込み、ヒートポンプユニットの下端側部分に、内部に緩衝材を装着した下部梱包材を嵌め込んだ状態で、上部梱包材と下部梱包材とを梱包用バンドで結束してヒートポンプユニットに固定している。
【先行技術文献】
【特許文献】
【０００６】
【特許文献１】特開２０１４−６５５３２号公報
【発明の概要】
【発明が解決しようとする課題】
【０００７】
しかし、特許文献１のヒートポンプ式熱源機の梱包材では、上部梱包材の上端が平坦面に形成されるため、ヒートポンプユニットを上下方向に積み重ねて保管されることが多く、ヒートポンプユニットを上下に積み重ねた場合、上に積み重ねられたヒートポンプユニットの重量が下側のヒートポンプユニットに作用し、下側のヒートポンプユニットの外装ケースの天板が重みによって下方向に歪み、天板の折り返し部端面が側板上部を傷つけ、外装ケース表面に傷が付くとそこから錆等が発生するという問題があった。
特に、ヒートポンプユニットの頂部に凝縮熱交換器を組み込み、この凝縮熱交換器と天板との間に断熱用の隙間を形成したものにおいては、上記の問題が顕著になる。
【０００８】
本発明の目的は、ヒートポンプユニットの左右両端部を箱状の１対の梱包部材で覆うように構成したヒートポンプユニットの梱包材を提供することである。
【課題を解決するための手段】
【０００９】
請求項１のヒートポンプユニットの梱包材は、ヒートポンプユニットを梱包する梱包材において、ヒートポンプユニットの左右両端部を受容する一側面が開放状に形成され且つヒートポンプユニットの左右両端部を覆うように形成された箱状の１対の梱包部材と、ヒートポンプユニットのそれぞれの角部を緩衝可能な複数の緩衝部材と、前記１対の梱包部材を結束する結束部材とを備え、前記１対の梱包部材には、前記緩衝部材のうち上部に配置される緩衝部材を支える支持部が形成され、前記結束部材は水平方向に巻き回された少なくとも１本のＰＰバンドであり、前記ヒートポンプユニットの底面には１対の設置用脚部が設けられており、前記１対の梱包部材は前記１対の設置用脚部を露出させるように前記ヒートポンプユニットの左右両端部を覆っていることを特徴としている。
【００１０】
【００１１】
請求項２のヒートポンプユニットの梱包材は、請求項１の発明において、前記１対の梱包部材には開口把持部が形成されており、前記結束部材は前記開口把持部の直上部を通るように巻き回されていることを特徴としている。
【００１２】
【発明の効果】
【００１３】
請求項１の発明によれば、ヒートポンプユニットの左右両端部を受容する一側面が開放状に形成され且つヒートポンプユニットの左右両端部を覆うように形成された箱状の１対の梱包部材と、ヒートポンプユニットのそれぞれの角部を緩衝可能な複数の緩衝部材と、
１対の梱包部材を結束する結束部材とを備えたので、ヒートポンプユニットの左右両端部を１対の梱包部材で覆いその外側に結束部材を巻き回して１対の梱包部材を結束すると、内部に複数の緩衝部材を収容した１対の梱包部材でヒートポンプユニットの上下左右の角部を保護することができる。
【００１４】
また、１対の梱包部材に形成された支持部で、上部に配置される緩衝部材を支持できるので、１対の梱包部材の内部に緩衝部材を安定的に収容することができる。
【００１５】
さらに、梱包材で覆ったヒートポンプユニットでは、ヒートポンプユニットの天板の左右両端部以外の部分が梱包部材で覆われないため、梱包材で覆ったヒートポンプユニットを上下に積み重ねにくくなる。しかも、梱包材で覆ったヒートポンプユニットを上下方向に積み重ねた際、上側のヒートポンプユニットの荷重を、１対の梱包部材で支えつつ、１対の梱包部材内の上部に配置した緩衝部材と１対の梱包部材に形成した２対の支持部を介して下部に配置した緩衝部材で支えるため、上側に積み重ねたヒートポンプユニットの荷重が直接下側のヒートポンプユニットに作用することが無くなり、天板の変形による外装ケースの損傷や損傷に起因する錆の発生を防止することができる。
【００１６】
その上、結束部材は水平方向に巻き回された少なくとも１本のＰＰバンドであるため、製作コストを低減することができる。しかも、ヒートポンプユニットの底面には１対の設置用脚部が設けられており、１対の梱包部材は１対の設置用脚部を露出させるようにヒートポンプユニットの左右両端部を覆うように構成したため、ヒートポンプユニットを１対の梱包部材で梱包した状態で、設置面に載置することができる。そして、設置面に載置した後、結束部材を切断し、１対の梱包部材を左右方向外側に引き抜いて取り外すことができるので、設置工数を低減できる。
【００１７】
請求項２の発明によれば、１対の梱包部材には開口把持部が形成されており、結束部材が開口把持部の直上部を通るように巻き回す構造であるため、開口把持部を補強して、開口把持部の破損を軽減でき、１対の梱包部材の耐久性が向上する。
【００１８】
【図面の簡単な説明】
【００１９】
【図１】本発明の実施例１に係るヒートポンプユニットの斜視図である。
【図２】図１のヒートポンプユニットの左右両端部を１対の梱包部材で覆って結束部材で結束したヒートポンプユニットの梱包材の斜視図である。
【図３】図２のヒートポンプユニットと左右の梱包部材の分解斜視図である。
【図４】図２の左梱包部材の斜視図である。
【発明を実施するための形態】
【００２０】
以下、本発明を実施するための形態について実施例に基づいて説明する。
【実施例１】
【００２１】
本実施例に係るヒートポンプユニットの梱包材について図面に基づいて説明する。
図１に示すように、ヒートポンプユニット１は、外装ケース２の内部に、圧縮機、凝縮熱交換器、膨張弁、蒸発熱交換器、送風ファン３、冷媒を循環させる冷媒配管を含む配管類、センサ類、制御盤等を収容したものである。
外装ケース２は、前面板４と後面板５と左側面板６と右側面板７と底板８と天板１０等で構成され、前面板４には送風ファン３の前面に臨む外気排気開口４ａが形成されている。このヒートポンプユニット１を据付面に設置するため、底板８には左右１対の設置用脚部  １１が設けられている。
【００２２】
図２〜図４に示すように、本実施例に係るヒートポンプユニットの梱包材２０は、箱状の左右１対の梱包部材２１と、これら梱包部材２１の内部に装着された４つの緩衝部材  ２２，２３と、１対の梱包部材２１を結束する上下１対の結束部材２４とを備えている。
【００２３】
１対の梱包部材２１は、ヒートポンプユニット１の左右両端部を受容する一側面が開放状に形成され且つヒートポンプユニット１の左右両端部を覆うように形成されている。１対の梱包部材２１は１対の設置用脚部１１を露出させるようにヒートポンプユニット１の左右両端部を覆うように形成されている。
【００２４】
１対の梱包部材２１は、ダンボール製の左梱包部材２１ａと右梱包部材２１ｂとからなる。左梱包部材２１ａはその右側面が開放された箱状体であり、左梱包部材２１ａの上端部分の内部には成形発泡体からなる上緩衝部材２２が装着され、左梱包部材２１ａの下端部分の内部には成形発泡体からなる下緩衝部材２３が装着されている。
【００２５】
上緩衝部材２２は、所定の厚さの上面壁２２ａと前面壁２２ｂと後面壁２２ｃと左側面壁２２ｄを一体成形して形成されている。下緩衝部材２３は、所定の厚さの下面壁２３ａと前面壁２３ｂと後面壁２３ｃと左側面壁２３ｄを一体成形して形成されている。
【００２６】
左梱包部材２１ａの左端部分の前後の角部には、上緩衝部材２２と下緩衝部材２３の間に嵌まる断面Ｌ形の支持部２５が一体形成されている。この支持部２５は、この支持部２５の上端と下端の位置で左梱包部材２１ａにＬ形に切り込んだ切り込み部を形成してから、上下の切り込み部の間の山折り状の稜線部を内側へ押し込んで谷折り状の稜線部に形成したものである。前後１対の支持部２５の上端面で上緩衝部材２２が支持され、上緩衝部材  ２２が所期の図示のような位置に保持されている。また、前後１対の支持部２５の下端面が下緩衝部材２３に当接し、下緩衝部材２３が所期の図示のような位置に保持されている。
【００２７】
左梱包部材２１ａの左側面の上部の前後方向中間部のダンボール壁部に開口把持部２６が形成され、この開口把持部２６の上端は上緩衝部材２２の下端から結束部材２４の上下幅だけ下げた位置に一致しており、開口把持部２６から左梱包部材２１ａのダンボール壁部を外面側へ切り起した切り起し片２６ａが外面側へ突出している。
【００２８】
右梱包部材２１ｂとその上緩衝部材（図示略）とその下緩衝部材（図示略）は、左梱包部材２１ａとその上緩衝部材２２とその下緩衝部材２３と左右にほぼ対称のものであるので、同じ構成要素に同じ符号を付して説明を省略する。
【００２９】
上下の結束部材２４は、左右の梱包部材２１ａをヒートポンプユニット１の左右両端部に装着した状態で、左梱包部材２１ａとヒートポンプユニット１と右梱包部材２１ｂとに 水平方向に巻き回された２本のＰＰバンドからなる。
【００３０】
上側の結束部材２４は、左右の開口把持部２６の直上部を通るように巻き回され、上側の結束部材２４の下端が左右の切り起し片２６ａの折れ線の上面に当接し且つ上側の結束部材２４の上端が支持部２５の上端に一致する状態に巻き回されている。上側の結束部材２４は、左右の梱包部材２１ａ，２１ｂの４本の支持部２５の上端部の外側に巻き回されて、４つの角部において上側の結束部材２４の上端が左右の梱包部材２１ａ，２１ｂの４つの角部の係止部２７で係止されている。
【００３１】
下側の結束部材２４は、左右の梱包部材２１ａ，２１ｂの４本の支持部２５の下端部の外側に巻き回され、その下端が支持部２５の下端に一致する状態に巻き回されている。
４つの角部において下側の結束部材２４の下端が左右の梱包部材２１ａ，２１ｂの４つの角部の係止部２７で係止されている。尚、下側の結束部材２４は必須のものではなく、省略してもよい。
【００３２】
次に、以上のヒートポンプユニット梱包材２０の作用、効果について説明する。
ヒートポンプユニット１の左右両端部を受容する一側面が開放状に形成され且つヒートポンプユニットの左右両端部を覆うように形成された箱状の１対の梱包部材２１ａ，２１ｂと、ヒートポンプユニットのそれぞれの角部を緩衝可能な複数の緩衝部材２２，２３と、１対の梱包部材２１を結束する結束部材２４とを備えたので、ヒートポンプユニット１の左右両端部を１対の梱包部材２１ａ，２１ｂで覆いその外側に結束部材２４を巻き回して結束すると、内部に複数の緩衝部材２２，２３を収容した１対の梱包部材２１ａ，２１ｂでヒートポンプユニット１の上下左右の角部を保護することができる。
【００３３】
また、１対の梱包部材２１ａ，２１ｂに形成された支持部２５で、上部に配置される緩衝部材２２を支持できるので、１対の梱包部材２１ａ，２１ｂの内部に上部の緩衝部材２２を安定的に収容することができる。
【００３４】
さらに、ヒートポンプユニット梱包材２０で梱包したヒートポンプユニット１を上下方向に積み重ねた際、上側のヒートポンプユニット１の荷重を、１対の梱包部材２１ａ，２１ｂで支えつつ、１対の梱包部材２１ａ，２１ｂ内の上部に配置した緩衝部材２２と１対の梱包部材２１ａ，２１ｂに形成した２対の支持部２５を介して下部に配置した緩衝部材２３で支えるため、上側に積み重ねたヒートポンプユニット１の荷重が直接下側のヒートポンプユニット１に作用することが無くなり、天板１０の変形による外装ケース２の損傷や損傷に起因する錆の発生を防止することができる。
【００３５】
結束部材２４は水平方向に巻き回されたＰＰバンドであるため、製作コストを低減することができる。１対の梱包部材２１ａ，２１ｂには開口把持部２６が形成されており、上側の結束部材２４が開口把持部２６の直上部を通るように巻き回す構造であるため、開口把持部２６を補強して、開口把持部２６の破損を軽減でき、１対の梱包部材２１ａ，２１ｂの耐久性が向上する。
【００３６】
上側の結束部材２４の上端が左右の梱包部材２１ａ，２１ｂの４つの角部の係止部２７  で係止されているため、その結束部材２４が上方へずれにくく、安定した結束位置を保持する。下側の結束部材２４の下端が４つの角部の係止部２７で係止されているため、その結束部材２４が下方へずれにくく、安定した結束位置を保持する。
【００３７】
ヒートポンプユニット１の底面には１対の設置用脚部１１が設けられており、１対の梱包部材２１ａ，２１ｂは１対の設置用脚部１１を露出させるようにヒートポンプユニット１の左右両端部を覆う構造のため、ヒートポンプユニット１を１対の梱包部材２１ａ，２１ｂで梱包した状態で、設置面に載置することができる。そして、設置面に載置した後、結束部材２４を切断して１対の梱包部材２１ａ，２１ｂを左右方向外側に引き抜いて取り外すことができるので、設置工数を低減できる。
【００３８】
次に、前記実施例を部分的に変更する例について説明する。
（１）前記緩衝部材は、前記実施例のように成形発泡体である必要はなく、例えば、ダンボール紙製の緩衝機能を有する緩衝部材で構成してもよい。
（２）結束部材は、ＰＰ以外の材料からなる合成樹脂製のバンド部材で構成してもよい。
（３）その他、当業者であれば、本発明の趣旨を逸脱することなく、前記実施例に種々の変更を付加した形態で実施可能であり、本発明はそのような変更形態も包含するものである。
【符号の説明】
【００３９】
１      ヒートポンプユニット
１１    設置用脚部
２０    ヒートポンプユニットの梱包材
２１    梱包部材
２２，２３    緩衝部材
２４    結束部材
２５    支持部
２６    開口把持部
【図１】
0006624434.tif 000002
【図２】
0006624434.tif 000003
【図３】
0006624434.tif 000004
【図４】
0006624434.tif 000005